(57)【要約】【課題】残高照会する電子マネーブランドを確実にユーザに認識させること。【解決手段】決済端末は、決済用媒体が対応している１または複数のブランドにおける預金残高を照会する処理である残高照会処理の指示、または、決済用媒体が対応しているいずれかのブランドによって決済する処理である決済処理の指示、を示す入力を受け付ける入力部と、決済用媒体が対応しているブランドの個数を判別する決済用媒体ＲＷ部と、指示が残高照会処理の指示である場合には、個数に関わらず、預金残高を照会させるブランドをユーザに選択させるためのブランド選択画面を表示し、指示が決済処理の指示である場合には、個数が複数であるならば決済するブランドをユーザに選択させるためのブランド選択画面を表示し、個数が１つであるならばブランド選択画面を表示しない表示部と、を備える。【選択図】図１４
2018169909.tif 000002
【特許請求の範囲】
【請求項１】
決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力部と、
前記決済用媒体が対応している前記ブランドの個数を判別する決済用媒体ＲＷ部と、
前記指示が前記残高照会処理の指示である場合には、前記個数に関わらず、前記預金残高を照会させる前記ブランドをユーザに選択させるためのブランド選択画面を表示し、
前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示部と、
を備える決済端末。
【請求項２】
コンピュータによる決済方法であって、
入力部が、決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力ステップと、
決済用媒体ＲＷ部が、前記決済用媒体が対応している前記ブランドの個数を判別する決済用媒体ＲＷステップと、
表示部が、前記指示が前記残高照会処理の指示である場合には、前記個数に関わらず、前記預金残高を照会する前記ブランドをユーザに選択させるためブランド選択画面を表示
し、前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示ステップと、
を有する決済方法。
【請求項３】
コンピュータに、
決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力ステップと、
前記決済用媒体が対応している前記ブランドの個数を判別する決済用媒体ＲＷステップと、
前記指示が前記残高照会処理の指示である場合には、前記個数に関わらず、前記預金残高を照会する前記ブランドをユーザに選択させるためのブランド選択画面を表示し、前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示ステップと、
を実行させるための決済プログラム。
【発明の詳細な説明】
【技術分野】
【０００１】
本発明は、電子マネーの決済を行う決済端末、決済方法、および決済プログラムに関する。
【背景技術】
【０００２】
従来から、商品を購入する際に、現金（硬貨および紙幣）による支払いの他に、電子マネーによる支払いを行なうことが可能な決済システムがある。電子マネーによる決済を行なう決済システムとして、例えば、商品またはサービスを提供する電子マネー端末装置が、イントラネットを介して決済装置に接続され、このイントラネットに対しインターネットを介して決済サーバを接続した決済システムがある（例えば、特許文献１参照）。
【先行技術文献】
【特許文献】
【０００３】
【特許文献１】特開２００９−２６５９９１号公報
【発明の概要】
【発明が解決しようとする課題】
【０００４】
ところで、電子マネー端末装置が複数の電子マネーブランド（以下、単に「ブランド」とも言う）に対応している場合には、どのブランドを使用するかが指定される必要があるが、従来の電子マネー端末装置では、ユーザの決済用媒体が対応しているブランドが単一のブランドである場合には、ブランド指定のためのユーザによる操作入力が省略され、自動的に当該単一のブランドが指定されて自動的に使用されることがある。
これにより、例えば、決済用媒体（例えば、ＩＣカード等）によって連続して決済が行われるような場面においては、ブランド指定のための操作入力が省略されるため、ユーザにとっての利便性は向上することがある。しかしながら、決済用媒体によってブランドへの預金残高の残高照会が行われる場面においては、ユーザは、残高照会を行ったブランドを確実に認識しておきたいことがある。例えば、ユーザが、帰宅する際に必要となる交通費分の預金を交通系の電子マネーブランドに残しておきたいような場合において、自動的にブランドが指定されて残高照会がなされてしまうと、残高照会を行ったブランドが当該交通系の電子マネーブランドであることをユーザが認識し損なってしまい、交通費分の預金を残さずに使用してしまう危険性が高くなる。
【０００５】
本発明は、このような事情に鑑みてなされたもので、その目的は、残高照会する電子マネーブランドを確実にユーザに認識させることができる決済端末、決済方法、および決済プログラムを提供することにある。
【課題を解決するための手段】
【０００６】
上述した課題を解決するため、本発明の一態様は、決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力部と、前記決済用媒体が対応している前記ブランドの個数を判別する決済用媒体ＲＷ部と、前記指示が前記残高照会処理の指示である場合には、前記個数に関わらず、前記預金残高を照会させる前記ブランドをユーザに選択させるためのブランド選択画面を表示し、前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示部と、を備える決済端末である。
【０００７】
また、本発明の一態様は、コンピュータによる決済方法であって、入力部が、決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力ステップと、決済用媒体ＲＷ部が、前記決済用媒体が対応している前記ブランドの個数を判別する決済用媒体ＲＷステップと、表示部が、前記指示が前記残高照会処理の指示である場合には、前記個数に関わらず、前記預金残高を照会する前記ブランドをユーザに選択させるためのブランド選択画面を表示し、前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示ステップと、を有する決済方法である。
【０００８】
また、本発明の一態様は、コンピュータに、決済用媒体が対応している１または複数のブランドにおける預金残高を照会する処理である残高照会処理の指示、または、前記決済用媒体が対応しているいずれかの前記ブランドによって決済する処理である決済処理の指示、を示す入力を受け付ける入力ステップと、前記決済用媒体が対応している前記ブランドの個数を判別する決済用媒体ＲＷステップと、前記指示が前記残高照会処理の指示である場合には、前記個数に関わらず、前記預金残高を照会する前記ブランドをユーザに選択させるためのブランド選択画面を表示し、前記指示が前記決済処理の指示である場合には、前記個数が複数であるならば決済する前記ブランドをユーザに選択させるための前記ブランド選択画面を表示し、前記個数が１つであるならば前記ブランド選択画面を表示しない表示ステップと、を実行させるための決済プログラムである。
【発明の効果】
【０００９】
以上説明したように、この発明によれば、残高照会する電子マネーブランドを確実にユーザに認識させることができる。
【図面の簡単な説明】
【００１０】
【図１】この発明の第１の実施形態による決済システムの構成を示す概略ブロック図である。
【図２】この発明の第１の実施形態による決済システムの決済サーバの機能構成を示すブロック図である。
【図３】この発明の第１の実施形態による決済システムの決済端末の機能構成を示すブロック図である。
【図４】この発明の第１の実施形態による決済システムの決済サーバの記憶部に記憶される施設情報のテーブルの一例を示す図である。
【図５】この発明の第１の実施形態による決済システムの決済サーバの記憶部に記憶される決済情報のテーブルの一例を示す図である。
【図６】この発明の第１の実施形態による決済システムの動作の一例を示すシーケンス図である。
【図７】この発明の第２の実施形態による決済システムの管理端末の機能構成を示すブロック図である。
【図８】この発明の第２の実施形態による決済システムの決済サーバの記憶部に記憶される設定情報のテーブルの一例を示す図である。
【図９】この発明の第３の実施形態による決済システムの決済端末および管理対象装置の機能構成を示すブロック図である。
【図１０】この発明の第３の実施形態による決済システムの現金による決済時における動作を示すシーケンス図である。
【図１１】この発明の第３の実施形態による決済システムの景品排出時における動作を示すシーケンス図である。
【図１２】この発明の第４の実施形態による決済システムの決済端末の動作を示すフローチャートである。
【図１３】この発明の第４の実施形態による決済システムの決済端末の表示部に表示される画面の一例を示す図である。
【図１４】この発明の第４の実施形態による決済システムの決済端末の表示部に表示される画面の一例を示す図である。
【図１５】この発明の第４の実施形態による決済システムの決済端末の機能構成を示すブロック図である。
【発明を実施するための形態】
【００１１】
＜第１の実施形態＞
以下、本発明の第１の実施形態による決済システム１について図面を参照して説明する。
【００１２】
［決済システムの構成］
図１は、この発明の第１の実施形態による決済システム１の構成を示す概略ブロック図である。同図に示す決済システム１は、決済サーバ１０と、それぞれに管理対象装置１６（１６Ａ１、１６Ａ２、・・・１６Ａｎ、１６Ｂ１、・・・１６Ｂｎ）が接続された決済端末１５（１５Ａ１、１５Ａ２、・・・１５Ａｎ、１５Ｂ１、・・・１５Ｂｎ）と、管理端末１７と、ブランドサーバ３０（３０ａ、３０ｂ）と、を通信ネットワークによって通信接続することで構成されている。当該通信ネットワークは、インターネット４０と、店舗２０（２０Ａ、２０Ｂ）毎に敷設されインターネット４０に通信接続するイントラネット５０（５０Ａ、５０Ｂ）とによって構成されている。インターネット４０には、決済サーバ１０と、管理端末１７と、少なくとも１つのブランドサーバ３０とが通信接続されている。また、イントラネット５０には、当該イントラネット５０が敷設された店舗２０内に設置された少なくとも１つの決済端末１５が通信接続されている。
【００１３】
決済サーバ１０は、決済端末１５から決済の要求を受け付け、決済の処理を行う。また、決済サーバ１０は、行った決済を示す決済情報を生成してログデータとして蓄積しておき、当該ログデータをブランドサーバ３０へ定期的（例えば、１日毎、または１週間毎）に配信する。
決済サーバ１０は、サーバ装置、例えば、汎用コンピュータ、またはパーソナルコンピュータ等を含んで構成される。
【００１４】
決済端末１５は、管理対象装置１６の利用に対してユーザによって支払われる料金の決済を受け付ける端末である。例えば、決済端末１５に備えられた後述する決済用媒体ＲＷ（リーダ・ライタ）部１５２に決済用媒体（例えば、ＩＣカード）が近づけられることによって、決済用媒体から決済用媒体ＲＷ部１５２へ決済用媒体を識別する決済用媒体識別情報が送信されることにより、当該決済の受け付けが行われる。
また、決済端末１５は、決済サーバ１０から定期的に設定情報を取得して設定変更を行う。当該設定情報とは、例えば、決済端末１５や管理対象装置１６において動作するソフトウェアのアップデート情報等の決済システム１全体に関わる情報、あるいは、決済端末１５において用いられるブランド毎の設定情報（例えば、画像情報、音声情報、および接続プロトコルを示す情報等）である。
【００１５】
決済端末１５は、カードリーダー、例えば、非接触型ＩＣカードリーダー等を含んで構成される。また、決済用媒体は、決済用カード、例えば、非接触型ＩＣカード、または、非接触型ＩＣカードの機能を内蔵する携帯型端末（ＰＤＡ）、例えば、スマートフォンや携帯電等である。非接触型ＩＣカードには、例えば、交通系ＩＣカードや、流通系ＩＣカード等が利用可能である。
【００１６】
管理対象装置１６は、決済端末１５によりユーザによって支払われる料金に応じて、ユーザに対してサービスを提供する装置である。
管理対象装置１６は、例えば、ゲーム機、カプセルトイの販売機器、自動販売機や自動券売機、コインロッカーの精算機、または駐輪場や駐車場における精算機である。
【００１７】
なお、提供されるサービスが予め決まっている管理対象装置１６においては、サービス提供を受ける数量（例えば、回数や時間など）を、ユーザは事前に選択することができる。例えば、サービス提供の数量が回数や時間で決まる場合には、ユーザは、その数量に応じた金額を、サービス提供を受ける前に金額を指定した上で決済を行なうことができる。管理対象装置１６がゲーム機である場合には、例えば、ユーザは、３ゲーム分の金額である２００円を選択して事前に決済することができる。
また、利用時間に応じて金額が計算される場合には、ユーザは、サービス提供を受けた後に、利用時間に応じて算出された料金を確認した上で決済を行なうことができる。
【００１８】
管理端末１７は、決済端末１５において決済が行われる際に、決済端末１５の後述する表示部１５４によって表示させるブランド（決済サービス）毎の画像を示す画像情報、および決済端末１５の後述する音声出力部１５５によって再生させるブランド毎の音声を示す音声データ等と、ブランドとを対応付けて管理する。また、管理端末１７は、決済端末１５において決済が行われる際に用いられる決済端末１５側のブランド毎の接続プロトコル（インターフェース）を示す情報等と、ブランドとを対応付けて管理する。
【００１９】
例えば、管理端末１７から、決済サーバ１０に対し、決済端末１５において用いられる上述したブランド毎の設定情報（例えば、画像情報、音声情報、および接続プロトコルを示す情報等）を送信し、当該設定情報が決済サーバ１０において記憶される。
そして、決済端末１５は、当該設定情報が更新されているか否かについて、定期的（例えば、１日毎、または１週間毎等）に、決済サーバ１０に対して問い合わせを行う。
当該設定情報が更新されていた場合、決済端末１５は、当該設定情報を決済サーバ１０からダウンロードし、自らの決済端末１５が記憶している設定情報を更新する。
なお、上記のブランド毎の設定情報は、ブランド特有の決済環境（例えば、表示画面や接続プロトコル等）を構成するソフトウェア部品の設定に関する設定情報であり、ブランド特有の設定情報である。
【００２０】
店舗２０は、決済端末１５および管理対象装置１６が設置された店舗（施設）である。店舗２０は、例えば、ゲームセンター、小売店、交通機関の各駅、または駐輪場や駐車場等である。ここで、店舗２０は、商品の販売やサービスの提供を目的とした建物に限られるものではなく、少なくとも商品の販売やサービスの提供が可能な施設であればよい。例えば、複数店舗が収容された複合商業施設やテーマパークなどの施設であってもよい。
なお、ここでいう「施設」とは、法人毎に統括される施設であってもよいし、各地域の支店毎に統括される施設、または建物毎に統括される施設であってもよく、施設が統括される単位や、施設の規模等は任意である。
【００２１】
ブランドサーバ３０は、定期的（例えば、１日毎、または１週間毎）に決済サーバ１０から送信された決済情報を取得する。ブランドサーバ３０は、各ブランド（決済サービス）を運営する企業によって管理されるサーバ装置である。ブランドとは、例えば、流通系企業や鉄道系企業によって運営されるプリペイド型電子マネーのブランド、クレジット系企業によって運営されるポストペイ型電子マネーのブランド、または、インターネット決済専用のプリペイド型電子マネーのブランド等である。
【００２２】
なお、決済端末１５によって決済可能なブランドは、当該決済端末１５が設置された店舗２０によって異なる。各店舗２０では、自らの店舗２０に設置された決済端末１５によって決済可能なブランドが予め定められている。ユーザは、当該ブランドの決済用媒体を使用して決済を行うことができる。
なお、原則的に、同一の店舗２０内に設置された決済端末１５においては、決済可能なブランドは共通である。したがって、決済端末１５が設置された店舗２０が特定されれば、決済端末１５によって決済可能なブランドも特定することができる。
【００２３】
［決済サーバの構成］
次に、決済サーバ１０の機能構成について図面を参照して説明する。
図２は、この発明の第１の実施形態による決済システム１決済サーバ１０の機能構成を示すブロック図である。同図に示す決済サーバ１０は、記憶部１０１と、決済処理部１０２と、通信部１０３と、を含んで構成される。
なお、この決済サーバ１０は、１台のサーバ装置から構成されていてもよいし、クラウド上に構成されたサーバであってもよい。
【００２４】
記憶部１０１は、施設情報と、決済情報と、を記憶する。
施設情報は、管理対象装置１６に接続される少なくとも１つの決済端末１５が設けられる店舗２０（施設）毎に、当該店舗２０を識別する施設識別情報と、前記決済端末１５を識別する決済端末識別情報と、前記店舗２０において利用可能なブランド（決済サービス）を識別する決済サービス識別情報とが対応づけられた情報である。
また、決済情報は、決済端末１５において行なわれる決済に関する情報である決済端末決済情報と、前記決済端末１５の決済端末識別情報とが対応づけられた情報である。
【００２５】
また、記憶部１０１は、決済端末１５において決済が行われる際に、決済端末１５の後述する表示部１５４によって表示させるブランド毎の画像を示す画像情報、および決済端末１５の後述する音声出力部１５５によって再生させるブランド毎の音声を示す音声データ等と、ブランドとが対応付けられたテーブルを予め管理端末１７から送信されて記憶している。
また、記憶部１０１は、決済端末１５において決済が行われる際に用いられる決済端末１５側のブランド毎の接続プロトコル（インターフェース）を識別する情報等と、ブランドとが対応付けられたテーブルを予め管理端末１７から送信されて記憶している。
【００２６】
記憶部１０１は、記憶媒体、例えば、ＨＤＤ（Ｈａｒｄ  Ｄｉｓｋ  Ｄｒｉｖｅ；ハードディスクドライブ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイーピーロム）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、ＲＯＭ（Ｒｅａｄ  Ｏｎｌｙ  Ｍｅｍｏｒｙ；読み出し専用メモリ）、またはこれらの記憶媒体の任意の組み合わせによって構成される。
【００２７】
決済処理部１０２は、前記決済端末１５から決済の要求を受けると、前記記憶部１０１を参照し、前記決済端末１５から送信される決済端末識別情報に基づいて、前記決済端末１５が設けられた店舗２０を特定し、特定された店舗２０において利用可能なブランドを特定し、特定されたブランドのうち対応可能なブランドによって、前記決済の要求に対応した決済の処理を行う。
決済処理部１０２は、例えば、ＣＰＵ（Ｃｅｎｔｒａｌ  Ｐｒｏｃｅｓｓｉｎｇ  Ｕｎｉｔ；中央演算処理装置）を含んで構成される。
【００２８】
通信部１０３は、インターネット４０と通信接続する通信インターフェースである。
通信部１０３は、インターネット４０を介して、決済サーバ１０とブランドサーバ３０との間におけるデータの送受信を行う。また、通信部１０３は、インターネット４０およびイントラネット５０を介して、上述した接続プロトコル（インターフェース）によって、決済サーバ１０と決済端末１５との間におけるデータの送受信を行う。
【００２９】
［決済端末の構成］
次に、決済端末１５および管理対象装置１６の機能構成について図面を参照して説明する。
図３は、この発明の一実施形態による決済システム１の決済端末１５の機能構成を示すブロック図である。同図に示す決済端末１５は、制御部１５０と、記憶部１５１と、決済用媒体ＲＷ（リーダ・ライタ）部１５２と、照明部１５３と、表示部１５４と、音声出力部１５５と、通信部１５６と、パルス送信部１５７と、を含んで構成される。
【００３０】
制御部１５０は、決済端末１５の各機能ブロックによって行われる処理を制御する。制御部１５０は、例えば、ＣＰＵ（Ｃｅｎｔｒａｌ  Ｐｒｏｃｅｓｓｉｎｇ  Ｕｎｉｔ；中央演算処理装置）を含んで構成される。制御部１５０は、決済サーバ１０に対し、決済端末決済情報に含まれる決済端末識別情報に基づいて、自身の決済端末１５が設けられた施設を特定させ、特定された施設において利用可能な決済サービスを特定させ、特定された決済サービスのうち対応可能な決済サービスによって、決済の要求に対応した決済を行なわせる指示をする。
【００３１】
記憶部１５１は、決済端末１５によって決済可能なブランドに関するブランド情報、および決済が行われる際に用いられる決済端末１５側のブランド毎の接続プロトコル（インターフェース）等を予め管理端末１７から送信されて記憶している。
記憶部１５１は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
【００３２】
決済用媒体ＲＷ部１５２は、決済用媒体（例えば、ＩＣカード）からの決済情報の読み出し、および決済用媒体への決済情報の書き込みを行う。
【００３３】
照明部１５３、表示部１５４、および音声出力部１５５は、決済端末１５を利用するユーザに対して、照明、画像、および音声により通知や警告等を行うためのユーザインタフェースである。
照明部１５３は、例えば、ＬＥＤ（Ｌｉｇｈｔ  Ｅｍｉｔｔｉｎｇ  Ｄｉｏｄｅ；発光ダイオード）、白熱電球、または蛍光灯等を含んで構成される。表示部１５４は、ディスプレイ、例えば、ＬＣＤ（Ｌｉｑｕｉｄ  Ｃｒｙｓｔａｌ  Ｄｉｓｐｌａｙ；液晶ディスプレイ）、または有機ＥＬ（エレクトロルミネッセンス）ディスプレイを含んで構成される。音声出力部１５５は、スピーカーを含んで構成される。
【００３４】
通信部１５６は、イントラネット５０およびインターネット４０を介して、決済サーバ１０、および管理端末１７との通信を行う。
【００３５】
パルス送信部１５７は、行われた決済の金額に応じたパルス信号（電子決済情報）を発生し、当該パルス信号を管理対象装置１６へ送信する。例えば、当該パルス信号は、管理対象装置１６において上記と同じ金額の現金（硬貨および紙幣）が投入された際に管理対象装置１６に入力されるパルス信号（現金決済情報）と同一のパルス信号である。これにより、管理対象装置１６は、電子マネーによる支払いであっても、現金による支払いであっても、金額が同じ場合には同様の処理を行うことができる。
【００３６】
［施設情報の構成］
次に、上述した施設情報の構成について図面を参照して説明する。
図４は、この発明の第１の実施形態による決済システム１の決済サーバ１０の記憶部１０１に記憶される施設情報のテーブルの一例を示す図である。
【００３７】
施設情報は、図３（Ａ）に示すテーブルと図４（Ｂ）に示すテーブルとによって構成される。図４（Ａ）に示すテーブルは、決済端末１５を識別する決済端末ＩＤと、店舗２０を識別するである店舗ＩＤとが対応付けられたデータである。また、図４（Ｂ）に示すテーブルは、店舗ＩＤと、各店舗において利用可能なブランドを識別するブランドＩＤとが対応付けられたデータである。このように、施設情報は、これらの２つのテーブルによって、店舗ＩＤ（施設識別情報）と、決済端末ＩＤ（決済端末識別情報）と、ブランドＩＤ（決済サービス識別情報）とを対応づけたデータである。
施設情報は、決済サーバの管理者等によって予め記憶部１０１に記憶されている。
【００３８】
［決済情報の構成］
次に、上述した決済情報の構成について図面を参照して説明する。
図５は、この発明の第１の実施形態による決済システム１の決済サーバ１０の記憶部１０１に記憶される決済情報のテーブルの一例を示す図である。
【００３９】
決済情報は、図５に示すテーブルによって構成される。図５に示すテーブルは、決済端末ＩＤと、決済端末決済情報とが対応付けられたデータである。当該決済端末決済情報には、決済金額と、日時と、媒体種別と、媒体ＩＤとを示すデータが含まれる。
決済情報は、決済端末１５が決済サーバ１０に対して決済を要求する際に決済端末１５から決済サーバ１０へ送信される、当該決済端末１５の決済端末ＩＤと決済端末決済情報とに基づいて決済サーバ１０によって生成され、記憶部１０１に記憶される。
【００４０】
［決済システムの動作］
次に、決済システム１の動作について図面を参照して説明する。
図６は、この発明の第１の実施形態による決済システム１の動作の一例を示すシーケンス図である。
【００４１】
（ステップＳ００１）決済端末１５の決済用媒体ＲＷ部１５２にはユーザが支払う金額を選択する画面が表示されており、ユーザは当該画面において金額を表すボタンにタッチすることで選択する。そして、ユーザにより決済用媒体ＲＷ部１５２に決済用媒体が通信可能な距離内に近づけられる（例えば、翳される）と、決済用媒体から決済用媒体ＲＷ部１５２へ、当該決済用媒体の媒体種別を示す情報、および当該決済用媒体を識別する媒体ＩＤ（決済用媒体識別情報）が送信される。なお、媒体種別を示す情報には、当該決済用媒体のブランドを示す情報が含まれる。
【００４２】
また、当該決済端末１５に接続された管理対象装置１６の利用料金（決済金額）を示す情報が、決済用媒体ＲＷ部１５２から決済用媒体へ送信される。決済用媒体は、受信した当該利用料金を示す情報に基づいて、自らの決済用媒体に記憶されている金額に関する情報を更新する。例えば、決済用媒体は、自ら記憶している、チャージされている金額を示す情報を読み出し、当該情報を、当該チャージされている金額から決済金額分を差し引いた金額を示す情報によって更新する。
決済端末１５は、決済金額、決済用媒体が近づけられた日時、媒体種別を示す情報、および媒体ＩＤに基づいて、決済端末決済情報を生成する。その後、ステップＳ００２へ進む。
【００４３】
（ステップＳ００２）決済端末１５は、決済の要求を示す情報とともに、自らの決済端末１５を識別する決済端末ＩＤ、およびステップＳ００１において生成した決済端末決済情報を、決済サーバ１０の通信部１０３へ送信する。その後、ステップＳ００３へ進む。
【００４４】
（ステップＳ００３）決済サーバ１０の通信部１０３は、ステップＳ００２において決済端末１５から送信された決済の要求を示す情報、決済端末ＩＤ、および決済端末決済情報を受信する。決済サーバ１０の決済処理部１０２は、受信した決済端末ＩＤおよび決済端末決済情報に基づいて、記憶部１０１に記憶されている決済情報を更新する。その後、ステップＳ００４へ進む。
【００４５】
（ステップＳ００４）決済サーバ１０の決済処理部１０２は、記憶部１０１に記憶されている施設情報（例えば、図４（Ａ）に示すテーブル）を参照し、ステップＳ００２において決済端末１５から送信された決済端末ＩＤ（決済端末識別情報）に基づいて、決済端末１５が設けられた店舗２０（施設）を特定する。その後、ステップＳ００５へ進む。
【００４６】
（ステップＳ００５）決済サーバ１０の決済処理部１０２は、記憶部１０１に記憶されている施設情報（例えば、図４（Ｂ）に示すテーブル）を参照し、ステップＳ００４において特定した店舗２０（施設）において利用可能なブランド（決済サービス）を特定する。その後、ステップＳ００６へ進む。
【００４７】
（ステップＳ００６）決済サーバ１０の決済処理部１０２は、ステップＳ００５において特定したブランド（決済サービス）のうち対応可能なブランドによって、ステップＳ００３において受信した情報に基づく決済の要求に対応した決済の処理を行なう。ここでは、店舗２０において対応可能なブランドのうち、どのブランドで決済を行うかについては、決済端末１５から送信される決済端末決済情報に含まれる媒体種別に基づいて当該決済端末１５に翳された決済用媒体のブランドが特定され、この特定されたブランドによって決済が行われる。その後、ステップＳ００７へ進む。
【００４８】
（ステップＳ００７）決済サーバ１０の通信部１０３は、決済処理が完了したことを示す決済完了通知を決済端末１５へ送信する。その後、ステップＳ００８へ進む。
【００４９】
（ステップＳ００８）決済端末１５は、ステップＳ００７において決済サーバ１０の通信部１０３から送信された決済完了通知を受信すると、管理対象装置１６へ当該決済完了通知を送信する。その後、ステップＳ００９へ進む。
【００５０】
（ステップＳ００９）管理対象装置１６は、ステップＳ００８において決済端末１５から送信された決済完了通知を受信すると、ユーザに対してサービスを提供する（例えば、ゲーム機がユーザによって利用可能な状態に切り替わる）。
以上で本シーケンス図に示す決済システム１の動作が終了する。
【００５１】
＜第２の実施形態＞
以下、本発明の第２の実施形態による決済システム１について図面を参照して説明する。
なお、第１の実施形態と構成が共通している範囲については説明を省略する。
【００５２】
［管理端末の構成］
以下に、管理端末１７の機能構成について図面を参照して説明する。
図７は、この発明の第２の実施形態による決済システム１の管理端末１７の機能構成を示すブロック図である。同図に示す管理端末１７は、管理実行部１７１と、設定更新要求部１７２と、通信部１７３と、を含んで構成される。
【００５３】
管理実行部１７１は、ユーザ（例えば、いずれかの店舗２０の施設管理者）による操作入力に基づいて設定情報を生成する。当該設定情報は、決済端末１５および管理対象装置１６の設定（例えば、管理対象装置１６の利用料金に関する設定等）に関する情報や、ブランド毎の設定情報（例えば、画像情報、音声情報、および接続プロトコルを示す情報等）である。設定情報の構成の一例については、後述する。
【００５４】
設定更新要求部１７２は、生成された設定情報を、通信部１７３を介して決済サーバ１０へ送信する。
【００５５】
通信部１７３は、インターネット４０と通信接続する通信インターフェースである。
通信部１７３は、インターネット４０を介して、管理端末１７と決済サーバ１０との間におけるデータの送受信を行う。
【００５６】
決済サーバ１０の通信部１０３は、管理端末１７の通信部１７３から送信された設定情報を受信する。そして、決済サーバ１０の決済処理部１０２は、当該設定情報に基づいて記憶部１０１に記憶されている設定情報を更新する。
【００５７】
［設定情報の構成］
次に、上述した設定情報の構成について図面を参照して説明する。
図８は、この発明の第２の実施形態による決済システム１の決済サーバ１０の記憶部１０１に記憶される設定情報のテーブルの一例を示す図である。
【００５８】
設定情報は、図８に示すテーブルによって構成される。図８に示すテーブルは、決済端末ＩＤと、管理対象装置１６における料金情報とが対応付けられたデータである。当該料金情報には、「料金」と、「セット割引の有無」と、「セット個数」と、「セット料金」とを示すデータが含まれる。
記憶部１０１に記憶された設定情報は、管理端末１７から決済サーバ１０へ送信される設定情報に基づいて更新される。なお、当該設定情報は、管理端末１７においてユーザ（例えば、店舗２０の施設管理者）による操作に基づいて生成される。
【００５９】
管理端末１７は、決済端末１５に対応付けられた設定情報（決済端末１５における設定情報および当該決済端末１５に接続された管理対象装置１６における設定情報、例えば、管理対象装置１６の利用料金に関する設定に関する設定情報）を管理する。
例えば、管理端末１７は、当該設定情報を決済サーバ１０へ送信し、当該設定情報が決済サーバ１０において記憶される。
そして、決済端末１５は、当該設定情報が更新されているか否かについて、定期的（例えば、１日毎、または１週間毎等）に、決済サーバ１０に対して問い合わせを行う。
当該設定情報が更新されていた場合、決済端末１５は、当該設定情報を決済サーバ１０からダウンロードし、自らの決済端末１５が記憶している設定情報を更新する。
【００６０】
なお、設定情報として、料金のルールを設定するようにし、決済サーバが、その料金ルールに基づいて、その条件に合致している料金を適宜設定するようにしてもよい。例えば、特定の曜日には、予め決められた決済端末ＩＤにおける料金を、割引率に従った割引価格を適用して決済したり、特定の時間帯において割引価格を適用して決済するような条件と価格とが対応付けられた料金ルールを管理端末１７から設定したりしてもよい。
【００６１】
＜第３の実施形態＞
以下、本発明の第３の実施形態による決済システム１について図面を参照して説明する。
なお、第１の実施形態と構成が共通している範囲については説明を省略する。
【００６２】
［決済端末および管理対象装置の構成］
以下、第３の実施形態による決済システム１の決済端末１５Ｒおよび管理対象装置１６Ｒの機能構成について図面を参照して説明する。図９は、この発明の第３の実施形態による決済システム１の決済端末１５Ｒおよび管理対象装置１６Ｒの機能構成を示すブロック図である。
【００６３】
以下、決済端末１５Ｒの各機能ブロックについて説明する。
図９に図示するように、決済端末１５Ｒは、制御部１５０と、記憶部１５１と、決済用媒体ＲＷ部１５２と、照明部１５３と、表示部１５４と、音声出力部１５５と、通信部１５６と、パルス送信部１５７と、パルス受信部１５８と、景品排出情報受信部１５９と、中継部ＲＬと、を含んで構成される。
なお、上記において図３を参照しながら説明した第１の実施形態に係る決済システム１の決済端末１５の場合と構成が共通する機能ブロックについては、同一の符号を付し、その説明を省略する。
【００６４】
制御部１５０Ｒは、決済端末１５Ｒの各機能ブロックによって行われる処理を制御する。制御部１５０は、例えば、ＣＰＵを含んで構成される。制御部１５０は、決済サーバ１０に対し決済端末決済情報を送信することによって、決済サーバ１０に対し、当該決済端末決済情報に含まれる決済端末識別情報に基づいて自らの決済端末１５が設置された施設を特定させ、特定された施設において利用可能な決済サービスを特定させ、特定された決済サービスのうち対応可能な決済サービスによって、決済の要求に対応した決済を行なわせるための指示を行う。
【００６５】
また、制御部１５０Ｒは、後述するパルス送信部１５７Ｒ（送信部）に、管理対象装置１６Ｒの利用に対する電子マネーによる決済を示す電子決済情報を、管理対象装置１６Ｒへ送信させる。また、制御部１５０Ｒは、後述するパルス受信部１５８（第１の受信部）から、管理対象装置１６Ｒの利用に対する現金（硬貨および紙幣）による決済において後述する現金投入部１６９に現金が投入されたことを示す現金決済情報を当該現金投入部１６９から取得する。
【００６６】
また、制御部１５０Ｒは、後述する景品排出情報受信部１５９（第２の受信部）から、管理対象装置１６Ｒの利用結果に基づく、景品が排出されたことを示す景品排出情報（利用結果情報）を当該管理対象装置１６Ｒから取得する。また、制御部１５０Ｒは、後述する通信部１５６Ｒに、管理対象装置１６Ｒの利用に対する、電子マネーによる決済を示す電子決済情報と現金による決済を示す現金決済情報とを、イントラネット５０およびインターネット４０（通信ネットワーク）を介して、決済サーバへ１０送信させる。また、制御部１５０Ｒは、後述する通信部１５６Ｒに、管理対象装置１６Ｒの利用結果に基づく、景品が排出されたことを示す景品排出情報（利用結果情報）をイントラネット５０およびインターネット４０（通信ネットワーク）を介して、決済サーバ１０へ送信させる。
【００６７】
通信部１５６Ｒは、イントラネット５０およびインターネット４０を介して、決済サーバ１０、および管理端末１７との通信を行う。通信部１５６Ｒは、例えば、管理対象装置１６Ｒの利用に対する、電子マネーによる決済を示す電子決済情報と現金による決済を示す現金決済情報とを、イントラネット５０およびインターネット４０（通信ネットワーク）を介して、決済サーバへ１０送信する。また、通信部１５６Ｒは、例えば、
管理対象装置１６Ｒの利用結果に基づく、景品が排出されたことを示す景品排出情報（利用結果情報）をイントラネット５０およびインターネット４０（通信ネットワーク）を介して、決済サーバへ１０送信する。
【００６８】
パルス送信部１５７Ｒ（送信部）は、管理対象装置１６Ｒの利用に対する電子マネーによる決済を示す電子決済情報を、管理対象装置１６Ｒへ送信する。具体的には、パルス送信部１５７Ｒは、行われた決済の金額に応じたパルス信号（電子決済情報）を発生し、当該パルス信号を管理対象装置１６Ｒへ送信する。例えば、当該パルス信号は、管理対象装置１６Ｒにおいて上記と同じ金額の現金が投入された際に管理対象装置１６Ｒに入力されるパルス信号（現金決済情報）と同一のパルス信号である。これにより、管理対象装置１６Ｒは、電子マネーによる支払いであっても、現金による支払いであっても、金額が同じ場合には同様の処理を行うことができる。
【００６９】
パルス受信部１５８（第１の受信部）は、管理対象装置１６Ｒの利用に対する現金による決済において後述する現金投入部１６９に現金が投入されたことを示す現金決済情報を当該現金投入部１６９から受信する。
【００７０】
景品排出情報受信部１５９（第２の受信部）は、管理対象装置１６Ｒの利用結果に基づく、景品が排出されたことを示す景品排出情報（利用結果情報）を当該管理対象装置１６Ｒから受信する。景品が排出されたことを示す情報とは、例えば、クレーンゲームのゲーム機である管理対象装置１６Ｒにおいて、景品が排出されたことを示す情報である。
【００７１】
中継部ＲＬは、管理対象装置１６Ｒの後述するパルス送信部１６９２から送信されたパルス信号（現金決済情報）を、管理対象装置１６Ｒの後述するパルス受信部１６３と決済端末１５Ｒのパルス受信部１５８とにそれぞれ出力する。
また、中継部ＲＬは、パルス送信部１５７Ｒから送信されたパルス信号（電子決済情報）を、管理対象装置１６Ｒの後述するパルス受信部１６３へ出力する。
また、中継部ＲＬは、管理対象装置１６Ｒの後述する景品排出情報送信部１６５から送信された景品排出情報を、景品排出情報受信部１５９へ出力する。
【００７２】
このように、中継部ＲＬは、決済端末１５Ｒと管理対象装置１６Ｒとの間の通信を中継する入出力インターフェースである。
なお、本実施形態においては、中継部ＲＬは決済端末１５Ｒが備えるものとしたが、これに限られない。中継部ＲＬは、例えば、決済端末１５Ｒとは独立した単独の装置であってもよい。
【００７３】
以下、管理対象装置１６Ｒの各機能ブロックについて説明する。
図９に図示するように、管理対象装置１６Ｒは、制御部１６０と、記憶部１６１と、実行部１６２と、パルス受信部１６３と、景品排出検知部１６４と、景品排出情報送信部１６５と、現金投入部１６９と、を含んで構成される。
【００７４】
また、現金投入部１６９（現金投入機）は、現金投入検知部１６９１と、パルス送信部１６９２と、を含んで構成される。なお、本実施形態においては、現金投入部１６９（現金投入機）は管理対象装置１６Ｒが備えるものとしたが、これに限られない。現金投入部１６９（現金投入機）は、例えば、管理対象装置１６Ｒとは独立した単独の装置であってもよい。
【００７５】
制御部１６０は、管理対象装置１６Ｒの各機能ブロックによって行われる処理を制御する。制御部１６０は、例えば、ＣＰＵを含んで構成される。
【００７６】
記憶部１６１は、管理対象装置１６Ｒの各機能ブロックによって行わる処理において用いられる各種のデータおよびプログラムを記憶する。記憶部１６１は、記憶媒体、例えば、ＨＤＤ、フラッシュメモリ、ＥＥＰＲＯＭ、ＲＡＭ、ＲＯＭ、またはこれらの記憶媒体の任意の組み合わせによって構成される。
【００７７】
実行部１６２は、後述するパルス受信部１６３が受信したパルス信号（現金決済情報）に基づいて、管理対象装置１６Ｒがユーザへ提供するサービスを実行する。ここでいうサービスとは、例えば、クレーンゲームのゲーム機である管理対象装置１６Ｒによって提供されるクレーンゲームである。
【００７８】
パルス受信部１６３は、後述するパルス送信部１６９２から送信されたパルス信号（現金決済情報）を、決済端末１５Ｒの中継部ＲＬを介して受信する。
また、パルス受信部１６３は、決済端末１５Ｒのパルス送信部１５７Ｒから送信されたパルス信号（電子決済情報）を、決済端末１５Ｒの中継部ＲＬを介して受信する。
【００７９】
景品排出検知部１６４は、管理対象装置１６Ｒの利用に基づく景品の排出を検知し、管理対象装置１６Ｒの利用結果に基づく景品排出情報（利用結果情報）を生成する。
なお、本実施形態においては、管理対象装置１６Ｒは景品を排出する装置であるものとしたため、管理対象装置１６Ｒの利用結果に基づく利用結果情報は景品を排出したことを示す景品排出情報であるものとしたが、これに限られない。利用結果情報は、管理対象装置１６Ｒの利用に基づく利用結果を示す情報ならば、任意の情報で構わない。
【００８０】
景品排出情報送信部１６５は、管理対象装置１６Ｒの利用結果に基づく景品排出情報（利用結果情報）を、決済端末１５Ｒの中継部ＲＬを介して決済端末１５Ｒの景品排出情報受信部１５９へ送信する。
【００８１】
現金投入検知部１６９１は、自らの管理対象装置１６Ｒの現金投入口（図示せず）に、ユーザによって現金が投入されたことを検知する。そして、現金投入検知部１６９１は、現金が投入されたことを検知すると、パルス信号（現金決済情報）を生成し、後述するパルス送信部１６９２へ出力する。
【００８２】
パルス送信部１６９２は、現金投入検知部１６９１からパルス信号（現金決済情報）を取得すると、当該パルス信号を、決済端末１５Ｒの中継部ＲＬを介して、自らの管理対象装置１６Ｒのパルス受信部１６３、および決済端末１５Ｒのパルス受信部１５８へ送信する。
【００８３】
［決済システムの動作］
次に、第３の実施形態による決済システム１の動作について、図面を参照しながら説明する。
以下、現金による決済時における決済システム１の動作について説明する。図１０は、この発明の第３の実施形態による決済システム１の決済端末１５Ｒおよび管理対象装置１６Ｒの現金による決済時における動作を示すシーケンス図である。本シーケンス図が示す決済システム１の動作は、管理対象装置１６Ｒの現金投入口（図示せず）に、ユーザによって現金が投入された際に開始する。
【００８４】
（ステップＳ０１１）管理対象装置１６Ｒの現金投入検知部１６９１は、自らの管理対象装置１６Ｒの現金投入口（図示せず）に、ユーザによって現金が投入されたことを検知する。そして、現金投入検知部１６９１は、現金が投入されたことを検知すると、パルス信号（現金決済情報）を生成し、パルス送信部１６９２へ出力する。その後、ステップＳ０１２へ進む。
【００８５】
（ステップＳ０１２）管理対象装置１６Ｒのパルス送信部１６９２は、ステップＳ０１１において現金投入検知部１６９１から送信されたパルス信号（現金決済情報）を受信すると、当該パルス信号を、決済端末１５Ｒの中継部ＲＬへ送信する。中継部ＲＬは、パルス送信部１６９２から送信されたパルス信号（現金決済情報）を、決済端末１５Ｒのパルス受信部１５８へ送信する。その後、ステップＳ０１３へ進む。
【００８６】
（ステップＳ０１３）また、決済端末１５Ｒの中継部ＲＬは、ステップＳ０１２においてパルス送信部１６９２から送信されたパルス信号（現金決済情報）を、管理対象装置１６Ｒのパルス受信部１６３へ送信する。その後、ステップＳ０１４へ進む。
【００８７】
（ステップＳ０１４）管理対象装置１６Ｒのパルス受信部１６３は、ステップＳ０１３においてパルス送信部１６９２から送信されたパルス信号（現金決済情報）を、決済端末１５Ｒの中継部ＲＬを介して受信する。そして、管理対象装置１６Ｒの実行部１６２は、パルス受信部１６３が受信したパルス信号（現金決済情報）に基づいて、管理対象装置１６Ｒがユーザへ提供するサービス（例えば、クレーンゲームのゲーム機である管理対象装置１６Ｒによって提供されるクレーンゲーム）を実行する。その後、ステップＳ０１５へ進む。
【００８８】
（ステップＳ０１５）決済端末１５Ｒのパルス受信部１５８（第１の受信部）は、ステップＳ０１２においてパルス送信部１６９２から送信されたパルス信号（現金決済情報）を、決済端末１５Ｒの中継部ＲＬを介して受信する。そして、決済端末１５Ｒの制御部１５０Ｒは、パルス受信部１５８が受信したパルス信号（現金決済情報）に基づいて、現金による決済を示す現金決済情報に基づく決済端末決済情報を生成する。その後、ステップＳ０１６へ進む。
【００８９】
（ステップＳ０１６）決済端末１５Ｒの通信部１５６Ｒは、ステップＳ０１５において生成された、現金決済情報に基づく決済端末決済情報を、イントラネット５０およびインターネット４０（通信ネットワーク）を介して、決済サーバへ１０送信する。その後、ステップＳ０１７へ進む。
【００９０】
（ステップＳ０１７）決済サーバ１０の通信部１０３は、ステップＳ０１６において決済端末１５Ｒの通信部１５６Ｒから送信された、現金決済情報に基づく決済端末決済情報を、イントラネット５０およびインターネット４０（通信ネットワーク）を介して受信し、自らの決済サーバ１０の記憶部１０１に記憶させる。
以上で本シーケンス図に示す決済システム１の動作が終了する。
【００９１】
なお、電子マネーによる決済時における決済端末１５Ｒおよび管理対象装置１６Ｒの動作については、上述した、第１の実施形態において図６を参照しながら説明した動作と同じであるため、説明を省略する。なお、上述した図６のステップＳ００８において決済端末１５から管理対象装置１６へ送信されるパルス信号（決済完了通知）は、第３の実施形態に係る決済システム１において決済端末１５Ｒのパルス送信部１５７から管理対象装置１６Ｒのパルス受信部１６３へ送信されるパルス信号（電子決済情報）に相当するパルス信号である。
【００９２】
なお、第３の実施形態における決済システム１において決済端末１５Ｒのパルス送信部１５７Ｒから管理対象装置１６Ｒのパルス受信部１６３へ送信されるパルス信号（電子決済情報）は、従来の現金のみで支払いをすることができる管理対象装置（例えば、ゲーム機）において現金投入部に現金が投入された際に生成されるパルス信号と同じパルス信号である。すなわち、電子マネーによって支払いが行われる際に生成され管理対象装置１６Ｒへ送信されるパルス信号（電子決済情報）は、従来、現金投入部に現金が投入された際に生成されるパルスの擬似的なパルスとなっている。
これにより、従来の現金のみで支払いをすることができる管理対象装置を、当該管理対象装置に対して大幅な改造を行うことなく、当該管理対象装置に決済端末１５Ｒを接続するたけで、容易に、電子マネーでの支払いにも対応した管理対象装置１６Ｒに変えることができる。
【００９３】
以下、景品排出時における決済システム１の動作について説明する。
図１１は、この発明の第３の実施形態による決済システム１の景品排出時における動作を示すシーケンス図である。本シーケンス図が示す決済システム１の動作は、管理対象装置１６Ｒの景品排出口（図示せず）に、景品が排出される際に開始する。
【００９４】
（ステップＳ０２１）管理対象装置１６Ｒの景品排出検知部１６４は、ユーザによる管理対象装置１６Ｒの利用に基づく景品の排出を検知し、管理対象装置１６Ｒの利用結果に基づく景品排出情報（利用結果情報）を生成する。その後、ステップＳ０２２へ進む。
なお上述したように、本実施形態においては、管理対象装置１６Ｒは景品を排出する装置であるものとしたため、管理対象装置１６Ｒの利用結果に基づく利用結果情報は景品を排出したことを示す景品排出情報であるものとしたが、これに限られない。利用結果情報は、管理対象装置１６Ｒの利用に基づく利用結果を示す情報ならば、任意の情報で構わない。
【００９５】
（ステップＳ０２２）管理対象装置１６Ｒの景品排出情報送信部１６５は、ステップＳ０２１において生成された管理対象装置１６Ｒの利用結果に基づく景品排出情報（利用結果情報）を、決済端末１５Ｒの中継部ＲＬを介して決済端末１５Ｒの景品排出情報受信部１５９へ送信する。その後、ステップＳ０２３へ進む。
【００９６】
（ステップＳ０２３）決済端末１５Ｒの景品排出情報受信部１５９（第２の受信部）は、ステップＳ０２２において送信された、管理対象装置１６Ｒの利用結果に基づく、景品が排出されたことを示す景品排出情報（利用結果情報）を、管理対象装置１６Ｒの景品排出情報送信部１６５から自らの決済端末１５Ｒの中継部ＲＬを介して受信する。その後、ステップＳ０２４へ進む。
【００９７】
（ステップＳ０２４）決済端末１５Ｒの通信部１５６Ｒは、ステップＳ０２３において景品排出情報受信部１５９が受信した景品排出情報（利用結果情報）を、イントラネット５０およびインターネット４０（通信ネットワーク）を介して、決済サーバへ１０送信する。その後、ステップＳ０２５へ進む。
【００９８】
（ステップＳ０２５）決済サーバ１０の通信部１０３は、決済端末１５Ｒの通信部１５６Ｒから送信された景品排出情報（利用結果情報）を、イントラネット５０およびインターネット４０（通信ネットワーク）を介して受信し、自らの決済サーバ１０の記憶部１０１に記憶させる。
以上で本シーケンス図に示す決済システム１の動作が終了する。
【００９９】
＜第４の実施形態＞
以下、本発明の第４の実施形態による決済システム１の決済端末１５Ｓについて説明する。なお、第１の実施形態と構成が共通している範囲については説明を省略する。
【０１００】
［決済時における画面表示例］
以下、決済時において、後述する表示部１５４Ｓに表示される画面について、図面を参照しながら説明する。図１２は、この発明の第４の実施形態による決済システムの決済端末の表示部に表示される画面の一例を示す図である。
【０１０１】
まず、表示部１５４Ｓに、図１２（Ａ）に示すようなメニュー画面（処理選択画面）を示す画像ｐｉｃ０１が表示される。図示するように、画像Ｐｉｃ０１には、「１００円（１プレイ）」と記載されたボタンを示す画像ｂｔｎ０１１と、「２００円（３プレイ）」と記載されたボタンを示す画像ｂｔｎ０１２と、「金額を選択してください」という文言と、「残高照会へ」と記載されたボタンを示す画像ｂｔｎ０１３と、が含まれる。
【０１０２】
画像ｐｉｃ０１によって示されるメニュー画面（処理選択画面）において、決済端末１５Ｓのユーザは、決済システム１に対して、決済処理フローへ移行させる指示、または残高照会処理を実行させる指示を入力することができる。ここでは、ユーザが、決済処理フローへ移行させる指示を入力する場合について説明する。
【０１０３】
なお、ここでいう決済フローとは、例えば、以下に説明する一連の処理のフローである。
まず、決済端末１５Ｓの決済用媒体ＲＷ部１５２Ｓにはユーザが支払う金額を選択する画面が表示され、ユーザは当該画面において金額を表すボタンにタッチすることで選択する（決済フローへ移行させる指示）。そして、ユーザにより決済用媒体ＲＷ部１５２Ｓに決済用媒体が通信可能な距離内に近づけられる（例えば、翳される）と、決済用媒体から決済用媒体ＲＷ部１５２Ｓへ、当該決済用媒体の媒体種別を示す情報、および当該決済用媒体を識別する媒体ＩＤ（決済用媒体識別情報）が送信される。なお、媒体種別を示す情報には、当該決済用媒体が対応可能なブランドを示す情報が含まれる。
【０１０４】
また、当該決済端末１５Ｓに接続された管理対象装置１６の利用料金（決済金額）を示す情報が、決済用媒体ＲＷ部１５２Ｓから決済用媒体へ送信される。決済用媒体は、受信した当該利用料金を示す情報に基づいて、自らの決済用媒体に記憶されている金額に関する情報を更新する。例えば、決済用媒体は、自ら記憶している、チャージされている金額を示す情報を読み出し、当該情報を、当該チャージされている金額から決済金額分を差し引いた金額を示す情報によって更新する。そして、決済端末１５Ｓは、決済金額、決済用媒体が近づけられた日時、媒体種別を示す情報、および媒体ＩＤに基づいて、決済端末決済情報を生成する。
【０１０５】
決済端末１５は、決済の要求を示す情報とともに、自らの決済端末１５を識別する決済端末ＩＤ、および決済端末決済情報を、決済サーバ１０の通信部１０３へ送信する。
そして、決済サーバ１０の通信部１０３は、決済端末１５から送信された決済の要求を示す情報、決済端末ＩＤ、および決済端末決済情報を受信する。決済サーバ１０の決済処理部１０２は、受信した決済端末ＩＤおよび決済端末決済情報に基づいて、記憶部１０１に記憶されている決済情報を更新する。
このように、決済フローとは、例えば上記のような一連の処理のフローである。
【０１０６】
ユーザは、メニュー画面（処理選択画面）において「１００円（１プレイ）」と記載されたボタン、または「２００円（３プレイ）」と記載されたボタンを押下することによって、決済処理フローへ移行させる指示を入力する。すなわち、ユーザは、例えば、タッチパネルである表示部１５４Ｓにおいて、当該表示部１５４Ｓに表示された画像ｐｉｃ０１に含まれる、画像ｂｔｍ０１１または画像ｂｔｍ０１２の部分をタッチすることによって、決済処理フローへ移行させる指示を入力する。ここでは、例えば、画像ｂｔｍ０１２の部分がタッチされたものとする。
【０１０７】
なお、ここでは、決済端末１５Ｓによる決済の対象となるサービスを提供する管理対象装置１６は、ゲーム機であるものとする。ユーザは、１００円を支払った場合にはこのゲームを１回プレイすることができ、２００円を支払った場合にはこのゲームを３回プレイすることができる。
【０１０８】
表示部１５４Ｓにおいて、ユーザにより画像ｂｔｍ０１２の部分がタッチされると、表示部１５４Ｓには、図１２（Ｂ）に示すような、ブランド選択またはカード読取要求画面を示す画像ｐｉｃ０２が表示される。図示するように、画像Ｐｉｃ０２には、「ブランドを選択してください。またはカードをかざしてください。」という文言と、「ブランドＡ」と記載されたボタンを示す画像ｂｔｎ０２１と、「ブランドＢ」と記載されたボタンを示す画像ｂｔｎ０２２と、「ブランドＣ」と記載されたボタンを示す画像ｂｔｎ０２３と、「ブランドＤ」と記載されたボタンを示す画像ｂｔｎ０２４と、が含まれる。
【０１０９】
画像ｐｉｃ０２によって示されるブランド選択またはカード読取要求画面において、決済端末１５Ｓのユーザは、決済を行うブランドを指定することができる。ユーザは、ブランド選択またはカード読取要求画面において「ブランドＡ」と記載されたボタン、「ブランドＢ」と記載されたボタン、「ブランドＣ」と記載されたボタン、または「ブランドＤ」と記載されたボタンのいずれかを押下することによって、決済を行うブランドを指定する。すなわち、ユーザは、例えば、タッチパネルである表示部１５４Ｓにおいて、当該表示部１５４Ｓに表示された画像ｐｉｃ０２に含まれる、画像ｂｔｍ０２１、画像ｂｔｍ０２２、画像ｂｔｍ０２３、または画像ｂｔｍ０２４のいずれかの部分をタッチすることによって、決済を行うブランドを指定する。
【０１１０】
または、ユーザは、表示部１５４Ｓにブランド選択またはカード読取要求画面が表示されている場合において、決済用媒体を後述する決済用媒体ＲＷ部１５２Ｓにかざすことにより、決済を行うブランドを指定することができる。
ユーザが、決済用媒体を決済用媒体ＲＷ部１５２Ｓにかざすと、決済用媒体ＲＷ部１５２Ｓは、決済用媒体が対応可能なブランドの個数を判別することができる。これにより、決済用媒体ＲＷ部１５２Ｓは、かざされた決済用媒体が、複数の（２つ以上の）ブランドに対応する決済用媒体であるか否かを認識することができる。
【０１１１】
なお、決済用媒体ＲＷ部１５２Ｓによる、決済用媒体が対応可能なブランドの個数の判別は、例えば、決済用媒体と決済用媒体ＲＷ部１５２Ｓとの間で、全ての電子マネーのブランドに対するポーリングが順次実行されることによって行われる。
【０１１２】
決済用媒体ＲＷ部１５２Ｓにかざされた決済用媒体が、複数のブランドに対応する決済用媒体であった場合には、表示部１５４Ｓには、図１２（Ｃ）に示すような、ブランド選択画面を示す画像ｐｉｃ０３が表示される。
【０１１３】
なお、ここでいう複数のブランドに対応する決済用媒体とは、複数のブランドに対応させることが可能な決済用媒体を意味する。すなわち、ここでいう複数のブランドには、決済用媒体において、現時点では非活性の状態（使用することができない状態）であるブランドも含まれる。例えば、複数のブランドに対応が可能なＩＣカードや、複数のブランドに対応が可能なＩＣチップが搭載された携帯端末において、現時点では１つのブランドしか利用できないように設定されていたとしても、将来的に複数のブランドにも対応することが可能な決済用媒体ならば、ここでいう複数のブランドに対応する決済用媒体に含まれる。
【０１１４】
なお、上述したように非活性の状態（使用することができない状態）であるブランドも含むように対応ブランドをカウントする理由としては、もし非活性の状態であるブランドを含まないならば、例えば、非活性のブランドを活性化した（使用することができる状態にした）場合に、表示部１５４Ｓに表示される画面の画面フローが変わり、ユーザの操作手順も変わるため、ユーザに対して混乱を生じさせる恐れがあるためである。また、例えば、ユーザに対して決済端末１５Ｓの操作手順を説明するゲームコーナーのフロアスタッフがユーザに対して行う説明が複雑になるためである。
【０１１５】
図示するように、図１２（Ｃ）に示す画像Ｐｉｃ０３には、「ブランドが複数ありますので下記から選択してください」という文言と、「ブランドＡ」と記載されたボタンを示す画像ｂｔｎ０３１と、「ブランドＢ」と記載されたボタンを示す画像ｂｔｎ０３２と、「ブランドＣ」と記載されたボタンを示す画像ｂｔｎ０３３と、「ブランドＤ」と記載されたボタンを示す画像ｂｔｎ０３４と、が含まれる。
【０１１６】
画像ｐｉｃ０３によって示されるブランド選択画面において、決済端末１５Ｓのユーザは、決済を行うブランドを指定することができる。ユーザは、ブランド選択画面において「ブランドＡ」と記載されたボタン、「ブランドＢ」と記載されたボタン、「ブランドＣ」と記載されたボタン、または「ブランドＤ」と記載されたボタンのいずれかを押下することによって、決済を行うブランドを指定する。すなわち、ユーザは、例えば、タッチパネルである表示部１５４Ｓにおいて、当該表示部１５４Ｓに表示された画像ｐｉｃ０３に含まれる、画像ｂｔｍ０３１、画像ｂｔｍ０３２、画像ｂｔｍ０３３、または画像ｂｔｍ０３４のいずれかの部分をタッチすることによって、決済を行うブランドを指定する。
【０１１７】
図１２（Ｂ）に示すブランド選択またはカード読取要求画面を示す画像ｐｉｃ０２に含まれる、画像ｂｔｍ０２１、画像ｂｔｍ０２２、画像ｂｔｍ０２３、または画像ｂｔｍ０２４のいずれかの部分がタッチされた場合、決済用媒体ＲＷ部１５２Ｓにかざされた決済用媒体が単一のブランドに対応する決済用媒体であった場合、および図１２（Ｃ）に示すブランド選択画面を示す画像ｐｉｃ０３に含まれる、画像ｂｔｍ０３１、画像ｂｔｍ０３２、画像ｂｔｍ０３３、または画像ｂｔｍ０３４のいずれかの部分がタッチされた場合、表示部１５４Ｓには、図１２（Ｄ）に示すような、カード読取要求画面を示す画像ｐｉｃ０４が表示される。
【０１１８】
図示するように、画像Ｐｉｃ０４には、「２００円（３プレイ）を選択しています。カードをかざしてください。」という文言と、選択されたブランドのロゴを示す画像（図示せず）またはブランド名を示す文言（図示せず）と、が含まれる。
表示部１５４Ｓにカード読取要求画面画像ｐｉｃ０４が表示されている場合において、ユーザが、決済用媒体ＲＷ部１５２Ｓに決済用媒体をかざすと、決済処理が行われる。決済処理が完了すると、表示部１５４Ｓには決済が完了したことを示す決済完了画面（図示せず）が表示される。
【０１１９】
［残高照会時における画面表示例］
以下、残高照会時において、後述する表示部１５４Ｓに表示される画面について、図面を参照しながら説明する。図１３は、この発明の第４の実施形態による決済システムの決済端末の表示部に表示される画面の一例を示す図である。
【０１２０】
まず、表示部１５４Ｓに、図１３（Ａ）に示すようなメニュー画面（処理選択画面）を示す画像ｐｉｃ１１が表示される。図示するように、画像ｐｉｃ１１には、「１００円（１プレイ）」と記載されたボタンを示す画像ｂｔｎ１１１と、「２００円（３プレイ）」と記載されたボタンを示す画像ｂｔｎ１１２と、「金額を選択してください」という文言と、「残高照会へ」と記載されたボタンを示す画像ｂｔｎ１１３と、が含まれる。
【０１２１】
画像ｐｉｃ１１によって示されるメニュー画面（処理選択画面）において、決済端末１５Ｓのユーザは、決済システム１に対して、決済処理フローへ移行させる指示、または残高照会処理を実行させる指示を入力することができる。ここでは、ユーザが、残高照会処理を実行させる指示を入力する場合について説明する。
【０１２２】
ユーザは、メニュー画面（処理選択画面）において「残高照会へ」と記載されたボタンを押下することによって、残高照会処理を実行させる指示を入力する。すなわち、ユーザは、例えば、タッチパネルである表示部１５４Ｓにおいて、当該表示部１５４Ｓに表示された画像ｐｉｃ１１に含まれる、画像ｂｔｍ１１３の部分をタッチすることによって、残高照会処理を実行させる指示を入力する。
【０１２３】
表示部１５４Ｓにおいて、ユーザにより画像ｂｔｍ１１３の部分がタッチされると、表示部１５４Ｓには、図１３（Ｂ）に示すような、ブランド選択画面を示す画像ｐｉｃ１２が表示される。図示するように、画像Ｐｉｃ１２には、「ブランドを選択してください。」という文言と、「ブランドＡ」と記載されたボタンを示す画像ｂｔｎ１２１と、「ブランドＢ」と記載されたボタンを示す画像ｂｔｎ１２２と、「ブランドＣ」と記載されたボタンを示す画像ｂｔｎ１２３と、「ブランドＤ」と記載されたボタンを示す画像ｂｔｎ１２４と、が含まれる。
【０１２４】
画像ｐｉｃ１２によって示されるブランド選択画面において、決済端末１５Ｓのユーザは、残高照会を行うブランドを指定することができる。ユーザは、ブランド選択画面において「ブランドＡ」と記載されたボタン、「ブランドＢ」と記載されたボタン、「ブランドＣ」と記載されたボタン、または「ブランドＤ」と記載されたボタンのいずれかを押下することによって、残高照会を行うブランドを指定する。すなわち、ユーザは、例えば、タッチパネルである表示部１５４Ｓにおいて、当該表示部１５４Ｓに表示された画像ｐｉｃ１２に含まれる、画像ｂｔｍ１２１、画像ｂｔｍ１２２、画像ｂｔｍ１２３、または画像ｂｔｍ１２４のいずれかの部分をタッチすることによって、残高照会を行うブランドを指定する。
【０１２５】
図１３（Ｂ）に示すブランド選択画面を示す画像ｐｉｃ１２に含まれる、画像ｂｔｍ１２１、画像ｂｔｍ１２２、画像ｂｔｍ１２３、または画像ｂｔｍ１２４のいずれかの部分がタッチされた場合、表示部１５４Ｓには、図１３（Ｃ）に示すような、カード読取要求画面を示す画像ｐｉｃ１３が表示される。図示するように、画像Ｐｉｃ１３には、「カードをかざしてください。」という文言と、選択されたブランドのロゴを示す画像（図示せず）またはブランド名を示す文言（図示せず）と、が含まれる。
【０１２６】
表示部１５４Ｓにカード読取要求画面画像ｐｉｃ１３が表示されている場合において、ユーザが、決済用媒体ＲＷ部１５２Ｓに決済用媒体をかざすと、残高照会処理が行われる。残高照会処理が完了すると、表示部１５４Ｓには、図１３（Ｄ）に示すような、残高照会結果画面を示す画像ｐｉｃ１４が表示される。図示するように、画像Ｐｉｃ１４には、「ブランドＢ」という文言と、「残高  ２，９００円」という文言と、「メニュー画面へ」と記載されたボタンを示す画像ｂｔｎ１４１と、が含まれる。
【０１２７】
ユーザは、表示部１５４Ｓに表示される画像ｐｉｃ１４によって示される残高照会結果画面を参照することにより、ブランドへの預金残高を確認することができる。例えば、図１３（Ｄ）に示す画像ｐｉｃ１４を参照することによって、ユーザは、「ブランドＢ」への預金残高が「２，９００円」であることを認識することができる。
なお、タッチパネルである表示部１５４Ｓにおいて、当該表示部１５４Ｓに表示された画像ｐｉｃ１４に含まれる、「メニュー画面へ」と記載されたボタンを示す画像ｂｔｎ１４１の部分がユーザによってタッチされると、表示部１５４Ｓには再び図１３（Ａ）に示したメニュー画面（処理選択画面）が表示される。
【０１２８】
［決済端末の機能構成］
以下に、決済端末１５Ｓの機能構成について、図面を参照しながら説明する。
図１４は、この発明の第４の実施形態による決済システムの決済端末の機能構成を示すブロック図である。図示するように、決済端末１５Ｓは、制御部１５０Ｓと、記憶部１５１と、決済用媒体ＲＷ部１５２Ｓと、照明部１５３と、表示部１５４Ｓと、入力部１５４Ｔと、音声出力部１５５と、通信部１５６と、パルス送信部１５７と、を含んで構成される。なお、第１の実施形態に係る決済システム１の決済端末１５と構成が共通する機能ブロックについては、同一の符号を付し、説明を省略する。
【０１２９】
制御部１５０Ｓは、決済端末１５Ｓの各機能ブロックによって行われる処理を制御する。制御部１５０Ｓは、例えば、ＣＰＵを含んで構成される。
制御部１５０Ｓは、決済用媒体が対応している１または複数のブランドにおける預金残高を照会する処理である残高照会処理の指示を示す入力を後述する入力部１５４Ｔが受け付けた場合、決済用媒体ＲＷ部１５２Ｓによって取得された情報に基づく決済用媒体が対応しているブランドの個数に関わらず、預金残高を照会させるブランドをユーザに選択させるためのブランド選択画面を後述する表示部１５４Ｓに表示させる。
【０１３０】
また、制御部１５０Ｓは、決済用媒体が対応しているいずれかのブランドによって決済する処理である決済処理の指示を示す入力を後述する入力部１５４Ｔが受け付けた場合、決済用媒体ＲＷ部１５２Ｓによって決済用媒体が対応しているブランドの個数が複数であると判別されたならば決済するブランドをユーザに選択させるためのブランド選択画面を後述する表示部１５４Ｓに表示させる。また、制御部１５０Ｓは、決済処理の指示を示す入力を後述する入力部１５４Ｔが受け付けた場合、決済用媒体が対応しているブランドの個数が１つであると判別されたならば当該ブランド選択画面を表示部１５４Ｓに表示させない。
【０１３１】
また、制御部１５０Ｓは、決済用媒体が対応しているいずれかのブランドによって決済する処理である決済処理の指示を示す入力を後述する入力部１５４Ｔが受け付けた場合、パルス送信部１５７に、管理対象装置１６の利用に対する電子マネーによる決済を示す電子決済情報を、管理対象装置１６へ送信させる。
また、制御部１５０Ｓは、決済用媒体が対応しているいずれかのブランドによって決済する処理である決済処理の指示を示す入力を後述する入力部１５４Ｔが受け付けた場合、通信部１５６に、管理対象装置１６の利用に対する電子マネーによる決済を示す電子決済情報を、イントラネット５０およびインターネット４０（通信ネットワーク）を介して、決済サーバへ１０送信させる。
【０１３２】
決済用媒体ＲＷ部１５２Ｓは、決済用媒体が対応しているブランドの個数を判別する。
【０１３３】
表示部１５４Ｓは、後述する入力部１５４Ｔが受け付けた指示が前記残高照会処理の指示である場合には、決済用媒体が対応しているブランドの個数に関わらず、預金残高を照会させるブランドをユーザに選択させるためのブランド選択画面を表示する。
また、表示部１５４Ｓは、後述する入力部１５４Ｔが受け付けた指示が前記決済処理の指示である場合には、決済用媒体が対応しているブランドの個数が複数であるならば決済するブランドをユーザに選択させるためのブランド選択画面を表示し、当該個数が１つであるならばブランド選択画面を表示しない。
【０１３４】
入力部１５４Ｔは、決済用媒体が対応している１または複数のブランドにおける預金残高を照会する処理である残高照会処理の指示、または、決済用媒体が対応している１または複数のブランドの中のいずれかのブランドによって決済する処理である決済処理の指示、を示す入力を受け付ける。
【０１３５】
なお、表示部１５４Ｓおよび入力部１５４Ｔは、例えば、タッチパネル等の入出力インターフェースを有する１つの部材によって構成されていてもよい。
【０１３６】
［決済端末の動作］
以下に、決済端末１５Ｓの動作について、図面を参照しながら説明する。
図１５は、この発明の第４の実施形態による決済システムの決済端末の動作を示すフローチャートである。本フローチャートは、決済端末１５Ｓの表示部１５４Ｓに、メニュー画面（処理選択画面）が表示される際に開始する。
【０１３７】
（ステップＳ１０１）決済端末１５Ｓの表示部１５４Ｓは、メニュー画面（処理選択画面）を示す画像を表示する。なお、メニュー画面を示す画像とは、例えば、図１２（Ａ）に示した画像ｐｉｃ０１、あるいは図１３（Ａ）に示した画像ｐｉｃ１１である。その後、ステップＳ１０２へ進む。
【０１３８】
（ステップＳ１０２）決済端末１５Ｓの入力部１５４Ｔが、ステップＳ１０１において表示されたメニュー画面（処理選択画面）において決済端末１５Ｓのユーザが決済処理または残高照会処理を選択したこと示す情報を取得した場合には、ステップＳ１０３へ進む。そうでない場合は、ステップＳ１０２に留まる。
【０１３９】
（ステップＳ１０３）入力部１５４ＴがステップＳ１０２において取得した情報によって示される処理が決済処理である場合には、ステップＳ１０４へ進む。そうでない場合、すなわち、入力部１５４ＴがステップＳ１０２において取得した情報によって示される処理が残高照会処理である場合には、ステップＳ１１５へ進む。
【０１４０】
（ステップＳ１０４）表示部１５４Ｓは、ブランド選択またはカード読取要求画面を示す画像を表示する。なお、ブランド選択またはカード読取要求画面を示す画像とは、例えば、図１２（Ｂ）に示した画像ｐｉｃ０２である。その後、ステップＳ１０５へ進む。
【０１４１】
（ステップＳ１０５）入力部１５４Ｔが、ステップＳ１０４において表示されたブランド選択またはカード読取要求画面において決済を行うブランドを選択したこと示す情報を取得した場合には、ステップＳ１１１へ進む。そうでない場合は、ステップＳ１０６に留まる。
【０１４２】
（ステップＳ１０６）決済端末１５Ｓの決済用媒体ＲＷ部１５２Ｓに決済用媒体（ＩＣカード）がかざされることにより、当該決済用媒体ＲＷ部１５２Ｓが、当該決済用媒体（ＩＣカード）によって発信された情報を読み取った場合、ステップＳ１０７へ進む。そうでない場合は、ステップＳ１０５へ戻る。
【０１４３】
（ステップＳ１０７）決済用媒体ＲＷ部１５２Ｓは、ステップＳ１０６において読み取った情報に基づき、決済用媒体（ＩＣカード）が対応するブランドを示す情報を取得する。その後、ステップＳ１０８へ進む。
【０１４４】
（ステップＳ１０８）決済用媒体ＲＷ部１５２Ｓが、ステップＳ１０７において取得した情報に基づいて、決済用媒体（ＩＣカード）が対応するブランドの個数が複数であると判別した場合には、ステップＳ１０９へ進む。そうでない場合、すなわち、決済用媒体（ＩＣカード）が対応するブランドの個数が単一であると判別した場合には、ステップＳ１１１へ進む。
【０１４５】
（ステップＳ１０９）表示部１５４Ｓは、ブランド選択画面を示す画像を表示する。なお、ブランド選択画面を示す画像とは、例えば、図１２（Ｃ）に示した画像ｐｉｃ０３である。その後、ステップＳ１１０へ進む。
【０１４６】
（ステップＳ１１０）入力部１５４Ｔが、ステップＳ１０９において表示されたブランド選択画面において決済を行うブランドを選択したこと示す情報を取得した場合には、ステップＳ１１１へ進む。そうでない場合は、ステップＳ１１０に留まる。
【０１４７】
（ステップＳ１１１）表示部１５４Ｓは、カード読取要求画面を示す画像を表示する。なお、カード読取要求画面を示す画像とは、例えば、図１２（Ｄ）に示した画像ｐｉｃ０４である。その後、ステップＳ１１２へ進む。
【０１４８】
（ステップＳ１１２）決済用媒体ＲＷ部１５２Ｓに決済用媒体（ＩＣカード）がかざされることにより、当該決済用媒体ＲＷ部１５２Ｓが、当該決済用媒体（ＩＣカード）によって発信された情報を読み取った場合、ステップＳ１１３へ進む。そうでない場合は、ステップＳ１１２に留まる。
【０１４９】
（ステップＳ１１３）決済端末１５Ｓの制御部１５０Ｓは、決済処理フローへ移行する。すなわち、制御部１５０Ｓは、ステップＳ１１８において決済用媒体ＲＷ部１５２Ｓが決済用媒体（ＩＣカード）から読み取った情報に基づく決済用媒体にチャージ（預金）されている金額から、ステップＳ１０２において入力部１５４Ｔが取得した情報に基づく決済金額を差し引いた金額によって、当該決済用媒体に記憶されたチャージ（預金）されている金額を示す情報を更新する処理を決済用媒体ＲＷ部１５２Ｓに実行させる。
【０１５０】
また、制御部１５０Ｓは、ステップＳ１０２において入力部１５４Ｔが取得した情報に基づく決済金額を示す情報に基づいて、パルス送信部１５７に、管理対象装置１６の利用に対する電子マネーによる決済を示す電子決済情報を、管理対象装置１６へ送信させる。
また、制御部１５０Ｓは、ステップＳ１０２において入力部１５４Ｔが取得した情報に基づく決済金額を示す情報に基づいて、通信部１５６に、管理対象装置１６の利用に対する電子マネーによる決済を示す電子決済情報を、イントラネット５０およびインターネット４０（通信ネットワーク）を介して、決済サーバへ１０送信させる。
その後、ステップＳ１１４へ進む。
【０１５１】
（ステップＳ１１４）表示部１５４Ｓは、決済が完了したことを示す決済完了画面を表示する。以上で、本フローチャートの処理が終了する。
【０１５２】
（ステップＳ１１５）表示部１５４Ｓは、ブランド選択画面を示す画像を表示する。なお、ブランド選択画面を示す画像とは、例えば、図１３（Ｂ）に示した画像ｐｉｃ１２である。その後、ステップＳ１１６へ進む。
【０１５３】
（ステップＳ１１６）入力部１５４Ｔが、ステップＳ１１５において表示されたブランド選択画面において決済を行うブランドを選択したこと示す情報を取得した場合には、ステップＳ１１７へ進む。そうでない場合は、ステップＳ１１６に留まる。
【０１５４】
（ステップＳ１１７）表示部１５４Ｓは、カード読取要求画面を示す画像を表示する。なお、カード読取要求画面を示す画像とは、例えば、図１３（Ｃ）に示した画像ｐｉｃ１３である。その後、ステップＳ１１８へ進む。
【０１５５】
（ステップＳ１１８）決済用媒体ＲＷ部１５２Ｓに決済用媒体（ＩＣカード）がかざされることにより、当該決済用媒体ＲＷ部１５２Ｓが、当該決済用媒体（ＩＣカード）によって発信された情報を読み取った場合、ステップＳ１１９へ進む。そうでない場合は、ステップＳ１１８に留まる。
【０１５６】
（ステップＳ１１９）制御部１５０Ｓは、残高照会処理を実行する。すなわち、制御部１５０Ｓは、ステップＳ１１８において決済用媒体ＲＷ部１５２Ｓが決済用媒体（ＩＣカード）から読み取った情報に基づいて、決済用媒体にチャージ（預金）されている金額（残高）を示す情報を取得する。その後、ステップＳ１２０へ進む。
【０１５７】
（ステップＳ１２０）表示部１５４Ｓは、ステップＳ１１９において制御部１５０Ｓが取得した情報によって示される決済用媒体にチャージ（預金）されている金額（残高）を示す情報に基づいて残高照会結果画面を生成し、当該残高照会結果画面を示す画像を表示する。なお、残高照会結果画面を示す画像とは、例えば、図１３（Ｄ）に示した画像ｐｉｃ１４である。
以上で本フローチャートの処理が終了する。
【０１５８】
以上説明したように、本発明の第１の実施形態に係る決済システム１によれば、インターネットに決済サーバ１０が通信接続されるため、複数の店舗２０（施設）における決済の処理を１つの決済サーバ１０によって行うことができる。これにより、各店舗２０は、決済サーバ１０を自施設内に設ける必要がないため、従来のように施設毎に自施設内のイントラネットに決済サーバを設ける場合と比べて、決済システムの導入にかかるコストが増大してしまうことを抑制することができる。
【０１５９】
また、本発明の第１の実施形態に係る決済システムによれば、インターネットに決済サーバ１０が通信接続されるため、店舗２０（施設）、決済端末１５、および管理対象装置１６、更に決済端末１５または管理対象装置１６における設定情報等を紐付けて管理することができる。また、本発明の一実施形態に係る決済システムによれば、店舗２０（施設）における設定情報と管理対象装置１６における設定情報とを紐付けて管理することができることにより、電子マネーの決済に関する情報と管理対象装置１６における設定情報とを合わせて管理することができる。
また、本発明の第１の実施形態に係る決済システムによれば、決済端末毎ではなく施設毎に利用可能なブランドを統括して管理し、さらに決済装置毎でなく施設毎に利用可能なブランドの種類を統一して運用するため、決済システムの運用にかかるコストが増大してしまうことを抑制することができる。
【０１６０】
また、以上説明したように、本発明の第２の実施形態に係る決済システム１によれば、インターネットに決済サーバ１０が通信接続されるため、複数の店舗２０（施設）における決済端末１５または管理対象装置１６の設定情報を１つの決済サーバ１０によって管理することができる。これにより、従来のように施設毎に自施設内のイントラネットに決済サーバを設ける場合と比べて、決済システムの導入にかかるコストを抑制することができる。
【０１６１】
また、本発明の第２の実施形態に係る決済システム１によれば、管理者、例えば、店舗２０（施設）の施設管理者が、通信ネットワークを介して決済サーバ１０から決済端末１５または管理対象装置１６の設定情報を取得し、当該設定情報に基づいて決済端末１５または管理対象装置１６の設定変更等を行うことができるため、決済システムの運用にかかるコストを抑制することができる。
【０１６２】
また、本発明の第２の実施形態に係る決済システム１によれば、電子マネーによって決済が行われることにより、１０円硬貨、５０円硬貨、または１００円硬貨等を現金投入装置に投入して支払いをする場合と比べて、投入される硬貨の枚数や組み合わせを考慮して金額を設定する（例えば、１００円硬貨２枚で２００円と設定する）必要がないため、柔軟に金額を設定することができる。
【０１６３】
また、現金投入装置を利用して料金の支払いが行われる場合、設定金額の変更がなされる際には、現金投入装置の設定を物理的に変更する必要が生じる。一方、本発明の第２の実施形態に係る決済システム１によれば、電子マネーを利用して決済がなされることを前提としているため、管理端末１７から設定変更の要求に基づいて、硬貨および紙幣の枚数や組み合わせに縛られない任意の価格を柔軟に設定することができる。
また、本発明の第２の実施形態に係る決済システム１によれば、設定金額を頻繁に変更する必要がある場合であっても、管理端末１２から設定金額をサーバに登録（更新）するだけですむため、比較的短い期間で金額を変更することが可能となる。
【０１６４】
また、以上説明したように、本発明の第３の実施形態に係る決済システム１によれば、電子マネーによる決済の実績情報と現金による決済の実績情報とが、インターネットに接続された決済サーバ１０において共に管理されるため、ユーザは、電子マネーによる決済の実績情報と現金による決済の実績情報とをまとめて管理することができる。これにより、ユーザは、例えば、決済端末１５Ｒごと、あるいは店舗２０ごとに、電子マネーによる売上金額と現金による売上金額とをまとめて把握することができる。
【０１６５】
また、本発明の第３の実施形態に係る決済システム１によれば、電子マネーによる決済の実績情報と現金による決済の実績情報の他にも、さらに当該決済によって提供されたサービスの利用結果を示す利用結果情報（例えば、クレーンゲーム等のプライズゲームのゲーム機における景品の景品排出情報等）もまとめて管理することができる。これにより、ユーザは、例えば、決済端末１５Ｒごと、あるいは店舗２０ごとに、電子マネーまたは現金による売上金額と景品排出情報とをまとめて把握することができる。
【０１６６】
また、本発明の第４の実施形態に係る決済システム１の決済端末１５Ｓによれば、残高照会時には、決済用媒体が対応するブランドの個数に関わらずブランド選択画面を表示さることにより、ユーザに対してブランドを明示的に選択させるため、ユーザは残高照会する電子マネーブランドを確実に認識することができる。
例えば、ユーザが、帰宅する際に必要となる交通費分の預金を交通系の電子マネーブランドに残しておきたいような場合において、決済用媒体が対応するブランドの個数１つであることなどにより自動的にブランドが指定されて残高照会されてしまうと、残高照会しているブランドが交通系の電子マネーブランドであることをユーザが認識し損なってしまい、交通費分の預金を残しておかずに使用してしまう危険性が高くなる。一方、本発明の第４の実施形態に係る決済システム１の決済端末１５Ｓによれば、そのような危険性を低減することができる。
【０１６７】
また、本発明の第４の実施形態に係る決済システム１の決済端末１５Ｓによれば、決済時には、決済用媒体が対応するブランドの個数が複数であると判別された場合にはブランド選択画面を表示させ、当該個数が単一（１つ）であると判別された場合にはブランド選択画面を表示させないため、連続して決済を行う場合などにおけるユーザの利便性を向上させることができる。
【０１６８】
さらに、本発明の第４の実施形態に係る決済システム１の決済端末１５Ｓによれば、決済用媒体が現時点で利用可能なブランドの個数が単一（１つ）であったとしても、例えば、非活性の状態であるブランドを活性化することによって将来的に複数のブランドに対応可能な決済用媒体に対しては、対応するブランドの個数は複数であるものとして認識する。これにより、決済用媒体が現時点で利用可能なブランドの個数が単一（１つ）から複数に変わった場合であっても、決済端末１５Ｓの表示部１５４Ｓに表示される画面のフローや、入力部１５４Ｔによって操作入力するユーザの操作手順には変更が生じないため、ユーザに対して混乱を生じさせる恐れがない。また、これにより、例えば、ユーザに対して決済端末１５Ｓの操作手順を説明するゲームコーナーのフロアスタッフがユーザに対して行う説明も単純化され、フロアスタッフの労力が軽減されうる。
【０１６９】
上述した実施形態における決済サーバ１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【０１７０】
以上、この発明の実施形態について図面を参照して詳述してきたが、具体的な構成はこの実施形態に限られるものではなく、この発明の要旨を逸脱しない範囲の設計等も含まれる。
【符号の説明】
【０１７１】
１・・・決済システム、１０・・・決済サーバ、１５・・・決済端末、１５Ｒ・・・決済端末、１５Ｓ・・・決済端末、１６・・・管理対象装置、１６Ｒ・・・管理対象装置、１７・・・管理端末、２０・・・店舗、３０・・・ブランドサーバ、４０・・・インターネット、５０・・・イントラネット、１０１・・・記憶部、１０２・・・決済処理部、１０３・・・通信部、１５０・・・制御部、１５０Ｒ・・・制御部、１５０Ｓ・・・制御部、１５１・・・記憶部、１５２・・・決済用媒体ＲＷ部、１５２Ｓ・・・決済用媒体ＲＷ部、１５３・・・照明部、１５４・・・表示部、１５４Ｓ・・・表示部、１５４Ｔ・・・入力部、１５５・・・音声出力部、１５６・・・通信部、１５６Ｒ・・・通信部、１５７・・・パルス送信部、１５７Ｒ・・・パルス送信部、１５８・・・パルス受信部、１５９・・・景品排出情報受信部、１６０・・・制御部、１６１・・・記憶部、１６２・・・実行部、１６３・・・パルス受信部、１６４・・・景品排出検知部、１６５・・・景品排出情報送信部、１６９・・・現金投入部、１６９１・・・現金投入検知部、１６９２・・・パルス送信部、１７１・・・管理実行部、１７２・・・設定更新要求部、１７３・・・通信部、ＲＬ・・・中継部
【図１】
2018169909.tif 000003
【図２】
2018169909.tif 000004
【図３】
2018169909.tif 000005
【図４】
2018169909.tif 000006
【図５】
2018169909.tif 000007
【図６】
2018169909.tif 000008
【図７】
2018169909.tif 000009
【図８】
2018169909.tif 000010
【図９】
2018169909.tif 000011
【図１０】
2018169909.tif 000012
【図１１】
2018169909.tif 000013
【図１２】
2018169909.tif 000014
【図１３】
2018169909.tif 000015
【図１４】
2018169909.tif 000016
【図１５】
2018169909.tif 000017